(57)【要約】【課題】既存の食器ケースに適用して食器ケース内の箸等の食器の除菌、ウィルス除去及び消臭を行うことができる食器ケース用除菌装置を提供する。【解決手段】食器ケース用除菌装置１を両面テープによって箸ケース４１の開閉蓋に取り付ける。また箸ケース４１の底板上にも食器ケース用除菌装置１を取り付ける。洗浄して再使用できる箸Ｃを箸ケース４１に収容し、箸ケース４１の開閉蓋を閉じておく。除菌剤パック３１は収容ケース３によって箸ケース４１内に支持される。上側の食器ケース用除菌装置１の除菌剤パック３１から発生した除菌剤は、穴１９を通過し、下方へ向かって箸ケース４１内に拡散する。下側の食器ケース用除菌装置１の除菌剤パック３１から発生した除菌剤は、穴１９を通過し、上方へ向かって箸ケース４１内に拡散する。【選択図】        図１
2011147540.tif 000002
【特許請求の範囲】
【請求項１】
除菌剤を発生する除菌剤発生体と、前記除菌剤発生体を食器ケース内に支持する除菌剤発生体支持手段とからなることを特徴とする食器ケース用除菌装置。
【請求項２】
請求項１に記載した食器ケース用除菌装置において、除菌剤発生体支持手段は除菌剤発生体を収容でき、多数の穴が形成された収容ケースと、前記収容ケースを食器ケース内に固定する固定手段とからなることを特徴とする食器ケース用除菌装置。
【発明の詳細な説明】
【技術分野】
【０００１】
本発明は食器ケース用除菌装置に係り、特に多数の箸等の食器を収容して飲食店のテーブル等に設置される箸ケース等の食器ケースに取り付けて使用する食器ケース用除菌装置に関するものである。
【背景技術】
【０００２】
近年はエコロジーに対する関心が高まっており、とりわけ地球温暖化防止の観点から森林破壊防止が叫ばれている。そこで、主に飲食店において使用されている割り箸の代わりに洗浄して再使用できるプラスチック製等の箸の使用が推進されている。そこで、特許文献１に記載された食器ケースが考案されている。
特許文献１に記載された食器ケースは、本体ケースの仕切り部を境にして食器収容部と除菌剤収容部が設けられている。そして、除菌剤収容部に備えられたマットに浸み込んだ除菌剤が少しずつ気化して小孔を通過し、食器収容部へ流入して、食器収容部内の箸の除菌、ウィルス除去及び消臭が行われる。
【先行技術文献】
【特許文献】
【０００３】
【特許文献１】特開２００９−２１３５５２号公報
【発明の概要】
【発明が解決しようとする課題】
【０００４】
しかしながら、上記従来の食器ケースは、本体ケースに除菌剤収容部を設ける等した言わば特別な構造のものであり、既存の食器ケースには適用することはできないという問題がある。
本発明は上記従来の問題点に着目して為されたものであり、既存の食器ケースに適用して食器ケース内の箸等の食器の除菌、ウィルス除去及び消臭を行うことができる食器ケース用除菌装置を提供することを、その目的とする。
【課題を解決するための手段】
【０００５】
本発明は上記課題を解決するためになされたものであり、請求項１の発明は、除菌剤を発生する除菌剤発生体と、前記除菌剤発生体を食器ケース内に支持する除菌剤発生体支持手段とからなることを特徴とする食器ケース用除菌装置である。
【０００６】
請求項２の発明は、請求項１に記載した食器ケース用除菌装置において、除菌剤発生体支持手段は除菌剤発生体を収容でき、多数の穴が形成された収容ケースと、前記収容ケースを食器ケース内に固定する固定手段とからなることを特徴とする食器ケース用除菌装置である。
【発明の効果】
【０００７】
本発明の食器ケース用除菌装置によれば、既存の食器ケースに適用して食器ケース内の箸等の食器の除菌、ウィルス除去及び消臭を行うことができる。
【図面の簡単な説明】
【０００８】
【図１】本発明の実施の形態１に係る食器ケース用除菌装置の斜視図である。
【図２】図１の食器ケース用除菌装置の使用状態を示す側断面図である。
【図３】本発明の実施の形態２に係る食器ケース用除菌装置の斜視図である。
【発明を実施するための形態】
【０００９】
本発明の実施の形態１に係る食器ケース用除菌装置１を図１と図２にしたがって説明する。
図１において符号３は除菌剤発生体支持手段としての収容ケースを示し、この収容ケース３はケース本体５、蓋７及びヒンジ８によって構成されている。蓋７はヒンジ８を介してケース本体５に開閉自在に取り付けられている。ケース本体５は底板９と側板１１から成り、また蓋７は天板１５と側板１７から成っている。
【００１０】
ケース本体５の側板１１、蓋７の天板１５及び側板１７には、多数の穴１９が形成されている。またケース本体５の開口周りの縁には嵌合凹部２１が形成されており、蓋７の開口周りの縁には、嵌合凹部２１に嵌合する嵌合凸部２３が形成されている。
【００１１】
符号３１は除菌剤発生体としての除菌剤パックを示し、この除菌剤パック３１は除菌剤を含有するゲル状体と、このゲル状体を包む包装材から成っている。除菌剤としては例えば二酸化塩素ガス溶存液が使用される。除菌剤はゲル状体から徐々に放出して、包装材を通過して除菌剤パック３１の外部へ放散されるようになっている。
符号４１は食器ケースとしての箸ケースを示し、この箸ケース４１は多数の箸Ｃを収容して飲食店のテーブル等に設置される既存のものである。
【００１２】
次に、食器ケース用除菌装置１の使用方法について説明する。
本実施の形態１では、後述するように二つの食器ケース用除菌装置１を箸ケース４１に取り付ける。
ケース本体５に除菌剤パック３１を入れる。そして蓋７を閉じる方向に回動させ、嵌合凸部２３を嵌合凹部２１に嵌合させて、蓋７を閉じた状態に保持する。これにより除菌剤パック３１が収容ケース３に収容される。
【００１３】
そして、収容ケース３の背面、即ち図１において底板９の見えている面の側とは反対側の面に図示しない両面テープの一方の面を貼付し、この両面テープの他方の面を箸ケース４１の開閉蓋の内面に貼付する。これにより食器ケース用除菌装置１が両面テープを介して箸ケース４１の開閉蓋に取り付けられる。
また、箸ケース４１の底板上にも食器ケース用除菌装置１を上記と同様にして取り付ける。
【００１４】
そして、洗浄して再使用できる箸Ｃを箸ケース４１に収容し、箸ケース４１の開閉蓋を閉じておく（図２参照）。この状態では、除菌剤パック３１は収容ケース３によって箸ケース４１内に支持される。
図２において上側の食器ケース用除菌装置１の除菌剤パック３１から発生した除菌剤は、穴１９を通過し、下方へ向かって箸ケース４１内に拡散する。また下側の食器ケース用除菌装置１の除菌剤パック３１から発生した除菌剤は、穴１９を通過し、上方へ向かって箸ケース４１内に拡散する。そして、箸ケース４１内の箸Ｃの除菌、ウィルス除去及び消臭が行われ、箸Ｃだけでなく箸ケース４１の内部も清潔に保たれることになる。
【００１５】
このように食器ケース用除菌装置１を箸ケース４１に取り付けて、即ち、食器ケース用除菌装置１を既存の箸ケース４１に適用して、箸ケース４１内の箸Ｃの除菌、ウィルス除去及び消臭を行うことができる。
また、箸ケース４１の開閉蓋と箸ケース４１の底板上とに食器ケース用除菌装置１をそれぞれ取り付けているので、箸ケース４１内の箸Ｃに対し、その箸Ｃを挟んで上下両側から除菌剤が当たることとなる。従って、箸Ｃを満遍なく除菌等することができる。
【００１６】
箸Ｃを使用する者は、箸ケース４１の開閉蓋を開いて箸ケース４１に収容されている箸Ｃを取り出す。この際に指が取り出す箸Ｃ以外の箸Ｃや箸ケース４１の内面に触れても、上記した除菌剤の作用によって、箸ケース４１内の箸Ｃ、箸ケース４１の内面が清潔に保たれることになる。従って、箸Ｃは箸ケース４１に収容してから使用されるまでの間、清潔な状態を確実に保つことができるようになる。また、箸ケース４１に食器ケース用除菌装置１を取り付けることによって箸Ｃの使用者に対して清潔感や安心感を与えることができる。
【００１７】
除菌剤パック３１は除菌剤が完全に無くなる前に定期的に交換する。除菌剤パック３１を交換する場合には、収容ケース３の蓋７を開けて、除菌剤パック３１を収容ケース３から取り出し、そして、新しい除菌剤パック３１を前述と同様にして収容ケース３に収容する。
【００１８】
次に、実施の形態２に係る食器ケース用除菌装置５１を図３にしたがって説明する。
実施の形態２に係る食器ケース用除菌装置５１は、実施の形態１に係る食器ケース用除菌装置１と同様の構成部分を有するので、食器ケース用除菌装置１と同様の構成部分については、同じ符号を付すことで説明を省略する。
図３（ａ）において符号５５は取付ベースを示し、この取付ベース５５の前面には４つの係合突起５７が設けられている。
また、ケース本体５の底板９には、４つの係合突起５７に対応する４つの穴５９が形成されている。
固定手段は取付ベース５５と係合突起５７によって構成されている。
除菌剤発生体支持手段は、収容ケース３と上記固定手段によって構成されている。
【００１９】
食器ケース用除菌装置５１を使用する場合には、取付ベース５５の背面に図示しない両面テープの一方の面を貼付し、この両面テープの他方の面を箸ケース４１の開閉蓋の内面に貼付する。これにより取付ベース５５が両面テープを介して箸ケース４１の開閉蓋に取り付けられる。
そして、４つの穴５９を４つの係合突起５７に対向させて、収容ケース３を取付ベース５５に向かって押し付ける。すると穴５９に係合突起５７が挿通されて、図３（Ｂ）に示すように係合突起５７の先端部が穴５９の周りの縁に係合する。これにより収容ケース３が係合突起５７と取付ベース５５を介して箸ケース４１の開閉蓋に取り付けられる。
上記したように係合突起５７の先端部が穴５９の周りの縁に係合しているので、箸ケース４１の開閉蓋を閉じた状態では、収容ケース３は取付ベース５５と係合突起５７によって箸ケース４１内に固定される。
【００２０】
除菌剤パック３１を新しいものと交換方法は、実施の形態１に係る食器ケース用除菌装置１と同様である。
【００２１】
以上、本発明の実施の形態について詳述してきたが、具体的構成は、この実施の形態に限られるものではなく、本発明の要旨を逸脱しない範囲における設計の変更などがあっても発明に含まれる。
上記実施の形態１、２では、食器ケース用除菌装置１、５１を箸ケース４１に取り付けたが、食器ケース用除菌装置１、５１を、フォークケースや茶碗ケース等の食器ケースに取り付けてもよい。
また、除菌剤として二酸化塩素ガス溶存液だけでなく、アルコール等の他の除菌剤を使用してもよいのは勿論である。更に、除菌剤はゲル状のものに限定されず、液体や固体のものを使用してもよいが、長期間にわたり除菌を行うことができるものが望ましい。
【産業上の利用可能性】
【００２２】
本発明の食器ケース用除菌装置は外食産業をはじめとして、飲食物を提供する産業において広く利用することができる。
【符号の説明】
【００２３】
１…食器ケース用除菌装置      ３…収容ケース      ５…ケース本体
７…蓋      ８…ヒンジ      ９…底板
１１…側板      １５…天板      １７…側板
１９…穴      ２１…嵌合凹部      ２３…嵌合凸部
３１…除菌剤パック      ４１…箸ケース
５１…食器ケース用除菌装置      ５５…取付ベース
５７…係合突起      ５９…穴
Ｃ…箸
【図１】
2011147540.tif 000003
【図２】
2011147540.tif 000004
【図３】
2011147540.tif 000005